(57)【特許請求の範囲】
【請求項１】
複数枚の衛生用紙を内包する包装体を覆ってこれを収容するための包装体用カバーであって、
包装体を取り囲む空間が画成されたカバー本体と、
このカバー本体の下端に形成されて包装体を出し入れするための下端開口部と、
前記カバー本体の上端に形成されて包装体に収容された衛生用紙を取り出すための上端開口部と、
前記カバー本体に設けられて前記カバー本体に対して包装体を保持するための保持手段と
を具え、前記保持手段は、包装体用カバーに収容された包装体の側面と対向するように前記カバー本体の内側面から突出し、上下方向に一定間隔で配列するピンと、上下に隣接する少なくとも２本の前記ピンに対して抜き外し可能に係止し得る少なくとも２つの係止孔を有するゴム状弾性シートとを含み、このゴム状弾性シートの上端側は、上側に位置する前記係止孔から前記ピンを抜き外すことにより、弾性変形を伴って包装体の底面を受けることができるようになっており、前記保持手段は、包装体に内包された衛生用紙の消費に伴って前記カバー本体に対する包装体の底面の位置を前記上端開口部側に近付けてそこに維持し得ることを特徴とする包装体用カバー。
【請求項２】
複数枚の衛生用紙を内包する包装体を覆ってこれを収容するための包装体用カバーであって、
包装体を取り囲む空間が画成されたカバー本体と、
このカバー本体の下端に形成されて包装体を出し入れするための下端開口部と、
前記カバー本体の上端に形成されて包装体に収容された衛生用紙を取り出すための上端開口部と、
前記カバー本体に設けられて前記カバー本体に対して包装体を保持するための保持手段と
を具え、前記保持手段は、包装体用カバーに収容された包装体の側面と対向するように前記カバー本体の内側面から突出し、上下方向に一定間隔で配列するピンと、上下に隣接する少なくとも２本の前記ピンに対して上下方向に摺動可能かつ抜き外し可能に係止し得る長孔を有するゴム状弾性シートとを含み、このゴム状弾性シートの上端側は、前記長孔の上側に位置する前記ピンを前記長孔から抜き外すことにより、弾性変形を伴って包装体の底面を受けることができるようになっており、前記保持手段は、包装体に内包された衛生用紙の消費に伴って前記カバー本体に対する包装体の底面の位置を前記上端開口部側に近付けてそこに維持し得ることを特徴とする包装体用カバー。
【請求項３】
前記カバー本体に取り付けられて前記上端開口部を開閉し得る蓋部材をさらに具えたことを特徴とする請求項１または請求項２に記載の包装体用カバー。
【請求項４】
前記包装体の上面に設けられた粘着部に対して剥離可能に接合し得る接合領域が前記カバー本体の内側面に形成されていることを特徴とする請求項１から請求項３の何れかに記載の包装体用カバー。
【発明の詳細な説明】
【技術分野】
【０００１】
本発明は、多数枚の衛生用紙を内包する包装体を覆ってこれを収容する包装体用カバーに関する。
【背景技術】
【０００２】
ティシュペーパーやキッチンタオルなどの衛生用紙のうち、特に乾燥を嫌うウェットティシュにおいては、密封性の高い包装を行う必要がある。また、このようなウェットティシュを多数枚内包する包装体においては、その使用上の便宜性などの要求から、収納容器に収容した状態で用いられることが多い。このような収納容器が特許文献１〜３にて提案されている。何れも、包装体を取り囲む容器本体と、包装体を出し入れするための底蓋とを具え、容器本体の上部に形成された開閉可能な開口から包装体に内包されたウェットティシュを１枚ずつ取り出すことができるようになっている。
【先行技術文献】
【特許文献】
【０００３】
【特許文献１】特開２００２−６８３３５号公報
【特許文献２】特開２０１０−１１５３８３号公報
【特許文献３】特開２００９−１４９３５４号公報
【発明の概要】
【発明が解決しようとする課題】
【０００４】
特許文献１〜３に開示された従来の収納容器において、包装体に内包されたウェットティシュをすべて使い切った場合、容器本体から底蓋を取り外して空の包装体を新たな詰め替え用の包装体と入れ替え、再び底蓋を容器本体に取り付ける必要がある。通常、容器本体とこれに対して着脱可能な底蓋とは、内部の密封性を保つために何らかのシール構造を介して結合されるようになっているため、容器本体に対する底蓋の着脱操作が比較的煩雑で手間が掛かる。
【０００５】
また、ウェットティシュの使用に伴い、収納容器の上部の開口から包装体に内包された最上端に位置するウェットティシュまでの距離が次第に遠くなり、収納容器の開口からウェットティシュが取り出しにくくなってしまう不具合が生ずる。これは、一般的なテッシュボックスの使用状況などからも容易に理解されよう。このため、特許文献３においては、ばね部材を介して収納容器の上部の開口側に付勢された中底を組み込み、収納容器の上部の開口から包装体に内包された最上端に位置するウェットティシュまでの距離が常に一定となるようにさせている。しかしながら、このような構造は非常に複雑であるばかりか、包装体に内包されたウェットティシュの量によってばね力が大きく変化するため、収納容器の開口からのウェットティシュの取り出し易さも変化し、良好な使い心地を得ることができない。
【０００６】
さらに、収納容器に収容された包装体の状態、特に包装体に内包されたウェットティシュの残量を収納容器の外部から直接確認することができないため、通常、包装体の交換作業を予期せず唐突に行う必要が生ずる。つまり、ウェットティシュの使用を意図した時に包装体に必要な量のウェットティシュが残っていないことを認識することが多い。
【０００７】
本発明の目的は、包装体の詰め替えを従来のものよりも容易かつ簡単に行うことができ、しかも包装体に内包されたウェットティシュの量の如何に拘らず、ウェットティシュを常に取り出し易くした簡単な構造の包装体用カバーを提供することにある。
【０００８】
本発明の他の目的は、包装体に内包されたウェットティシュの残量を容易に推測することができ、これによって包装体の交換時期をも併せて推定することが可能な包装体用カバーを提供することにある。
【課題を解決するための手段】
【０００９】
複数枚の衛生用紙を内包する包装体を覆ってこれを収容するための本発明による包装体用カバーの第１の形態は、包装体を取り囲む空間が画成されたカバー本体と、このカバー本体の下端に形成されて包装体を出し入れするための下端開口部と、前記カバー本体の上端に形成されて包装体に収容された衛生用紙を取り出すための上端開口部と、前記カバー本体に設けられて前記カバー本体に対して包装体を保持するための保持手段とを具え、前記保持手段は、包装体用カバーに収容された包装体の側面と対向するように前記カバー本体の内側面から突出し、上下方向に一定間隔で配列するピンと、上下に隣接する少なくとも２本の前記ピンに対して抜き外し可能に係止し得る少なくとも２つの係止孔を有するゴム状弾性シートとを含み、このゴム状弾性シートの上端側は、上側に位置する前記係止孔から前記ピンを抜き外すことにより、弾性変形を伴って包装体の底面を受けることができるようになっており、前記保持手段は、包装体に内包された衛生用紙の消費に伴って前記カバー本体に対する包装体の底面の位置を前記上端開口部側に近付けてそこに維持し得ることを特徴とするものである。
また、複数枚の衛生用紙を内包する包装体を覆ってこれを収容するための本発明による包装体用カバーの第２の形態は、包装体を取り囲む空間が画成されたカバー本体と、このカバー本体の下端に形成されて包装体を出し入れするための下端開口部と、前記カバー本体の上端に形成されて包装体に収容された衛生用紙を取り出すための上端開口部と、前記カバー本体に設けられて前記カバー本体に対して包装体を保持するための保持手段とを具え、前記保持手段は、包装体用カバーに収容された包装体の側面と対向するように前記カバー本体の内側面から突出し、上下方向に一定間隔で配列するピンと、上下に隣接する少なくとも２本の前記ピンに対して上下方向に摺動可能かつ抜き外し可能に係止し得る長孔を有するゴム状弾性シートとを含み、このゴム状弾性シートの上端側は、前記長孔の上側に位置する前記ピンを前記長孔から抜き外すことにより、弾性変形を伴って包装体の底面を受けることができるようになっており、前記保持手段は、包装体に内包された衛生用紙の消費に伴って前記カバー本体に対する包装体の底面の位置を前記上端開口部側に近付けてそこに維持し得ることを特徴とするものである。
【００１０】
本発明においては、包装体に内包された衛生用紙の消費に伴って下端開口部から包装体の底面を押し上げることにより、上端開口部と包装体に内包された最上端に位置する衛生用紙との間隔がほぼ一定に保たれることとなる。
【００１５】
あるいは、保持手段は、可撓性を有し、カバー本体の下端開口部を横切るように配されて包装体用カバーに収容された包装体の底面を受ける吊り部材と、カバー本体に形成され、吊り部材が通るように下端開口部から上方に延在する一対の切欠き部と、これら一対の切欠き部からカバー本体の外側に突出する吊り部材の長手方向両端部をカバー本体に固定するための固定手段とを含むものであってよい。この場合、固定手段は、カバー本体に対して吊り部材の任意の位置を固定および固定解除し得るものであることが好ましい。
【００１６】
本発明による包装体用カバーにおいて、カバー本体に取り付けられて上端開口部を開閉し得る蓋部材をさらに具えることができる。
【００１７】
包装体の上面に設けられた粘着部に対して剥離可能に接合し得る接合領域をカバー本体の内側面に有することができる。この場合、粘着部および接合領域はカバー本体の上端開口部を囲むように環状をなすものであってよい。
【発明の効果】
【００１８】
本発明の包装体用カバーによると、従来の収納容器の如き底蓋が存在しないので、包装体の詰め替えを容易かつ迅速に行うことができ、包装体の状態を下端開口部側から簡単に認識することができる。また、包装体に内包された衛生用紙の消費に伴ってカバー本体に対する包装体の底面の位置を上端開口部側に近付けることが可能となる。この結果、衛生用紙の残量を容易に推測することができ、包装体に内包された衛生用紙の量が少なくなっても、これを常に取り出し易く維持することができる。さらに、下端開口部の全周を連続させる必要がなくなるので、カバー本体の下端側のデザイン上の制約が少なくなり、ユニークなデザインの包装体用カバーを提供することも可能となる。
【００２１】
特に、カバー本体の内側面から突出するピンと、これらピンに係止し得る２つ以上の係止孔が形成されたゴム状弾性シートとを保持手段が含む場合、上側に位置するピンからゴム状弾性シートの上端側を抜き外し、包装体の底面を受けるように弾性変形させることができる。
【００２２】
また、カバー本体の内側面から突出するピンと、これらピンに係止し得る長孔が形成されたゴム状弾性シートとを保持手段が含む場合、長孔の上側に位置するピンを長孔から抜き外し、ゴム状弾性シートの上端側を弾性変形させて包装体の底面を受けることができる。また、包装体の底面に対するゴム状弾性シートの接触長さを微妙に調整することができる。
【００２４】
カバー本体に取り付けられて上端開口部を開閉し得る蓋部材をさらに具えた場合、包装体の上部を蓋部材によって覆うことができるため、包装体の清浄性および密封性をさらに高めることが可能となる。
【００２５】
包装体に設けられた粘着部に対して剥離可能に接合し得る接合領域をカバー本体に形成した場合、包装体の上面をカバー本体の接合領域に粘着部を介して接合させ、カバー本体に対して包装体を保持する保持手段の機能を補助することができる。
【図面の簡単な説明】
【００２６】
【図１】本発明による包装体用カバーの一実施形態の外観を包装体と共に表す立体投影図である。
【図２】図１に示した実施形態における包装体用カバーの底面図である。
【図３】図２中のIII−III矢視に沿った断面図である。
【図４】図３に対応した断面図であり、包装体を収容した状態を示す。
【図５】本発明による包装体用カバーの他の実施形態の外観を包装体と共に表す立体投影図である。
【図６】図５に示した実施形態における包装体用カバーの底面図である。
【図７】図６中のVII−VII矢視に沿った断面図であり、包装体を収容した状態を示す。
【図８】本発明における支持部材の他の実施形態を表す拡大断面図であり、図７の一部に対応する。
【図９】本発明による包装体用カバーの別な実施形態の底面図である。
【図１０】図８中のＸ−Ｘ矢視に沿った拡大断面図である。
【図１１】図９に示した保持手段の外観を表す立体投影図である。
【図１２】本発明による包装体用カバーの保持手段の他の実施形態の断面図であり、図１０の断面図に対応する。
【図１３】図１１に示した保持手段の外観を表す立体投影図である。
【図１４】本発明における保持手段の外観を表す正面図である。
【図１５】本発明による包装体用カバーのさらに別な実施形態の外観を包装体と共に表す立体投影図である。
【図１６】図１５に示した包装体用カバーの断面図であり、包装体を収容した状態を示す。
【図１７】図１６中の矢視XVII部の右側面形状を抽出拡大した断面図である。
【図１８】本発明における吊り部材および固定手段の他の実施形態を表す拡大断面図であり、図１７に対応する。
【発明を実施するための形態】
【００２７】
本発明による包装体用カバーをウェットティシュが内包される包装体に対して応用した実施形態について、図１〜図１５を参照しながら詳細に説明する。なお、本発明はこれらの実施形態のみに限らず、必要に応じてこれらをさらに組み合わせたり、ウェットティシュ以外の衛生用紙を内包した包装体に対しても応用することが可能である。
【００２８】
本発明による包装体用カバーの一実施形態の外観を包装体と共に図１に示し、この包装体用カバーの底面を図２に示し、そのIII−III矢視に沿った断面形状を図３に示し、これに包装体を収容した状態を図４に示す。
【００２９】
本実施形態における包装体用カバー１０の対象となる包装体１は、衛生用紙として複数枚の矩形のウェットティシュ２を順に折り重ね合わせて密封状態で内包する。この包装体１の上面１ａには、ここに内包された一番上に位置するウェットティシュ２を取り出すための細長い開口部１ｂが形成されている。開口部１ｂは、包装体１の上面１ａに一端部が接合された可撓性を有する開閉用シート３によって開閉可能に覆われている。この開閉用シート３の外周縁部には、包装体１の上面１ａに対して剥離可能に接合される粘着層３ａが形成され、開口部１ｂの周囲を取り囲むようになっている。従って、包装体１の開口部１ｂは開閉用シート３の粘着層３ａによってシール状態で覆われ、内包されたウェットティシュ２の乾燥を抑制することができる。また、この包装体１の上面１ａには、後述するカバー本体１１の上端面、すなわち上壁部１２の内側面の接合領域１２ａ（図２中、斜線で示した領域）に対して剥離可能に接合し得る粘着部４が開閉用シート３を囲むように環状に設けられている。この粘着部４は、包装体１の使用前には図示しないカバーフィルムによって被覆されており、このカバーフィルムを使用時に取り外して粘着部４を露出させる。
【００３０】
なお、包装体１の形態として上述した以外の周知の構成のものを適宜採用することができることは言うまでもない。
【００３１】
包装体１を覆ってこれを収容するための本実施形態における包装体用カバー１０は、包装体１を取り囲む空間Ｓが画成されたカバー本体１１と、このカバー本体１１に対して包装体１を保持するための保持手段１３とを具えている。
【００３２】
本実施形態におけるカバー本体１１は、ほぼ直方体形状を有し、上壁部１２と、この上壁部１２を挟んで対向する一対の第１側壁部１４と、これら上壁部１２および第１側壁部１４を挟んで対向する一対の第２側壁部１５とを有する。カバー本体１１の下端には、包装体１を出し入れするための下端開口部１１ａが第１および第２側壁部１４，１５で囲まれた状態で形成されている。下端開口部１１ａを画成する第１および第２側壁部１４，１５の下端には、滑り止め用のゴム状弾性体からなる環状のキャップ１６ａが嵌め込まれている。カバー本体１１の上端、つまり上壁部１２の中央部には包装体１に収容されたウェットティシュ２を取り出すための上端開口部１１ｂが形成されている。カバー本体１１は、包装体１の上面１ａに設けられた粘着部４が剥離可能に接合される平滑な接合領域１２ａをその上壁部１２の内側面に有し、この接合領域１２は上端開口部１１ｂを囲むように環状に形成されている。包装体１の粘着部４をカバー本体１１の接合領域１２ａに押し付けて接合させることにより、カバー本体１１に対する包装体１の位置ずれが抑制され、後述する保持手段１３の機能と相俟って包装体１を安定状態で包装体用カバー１０に収容することが可能となる。
【００３３】
このカバー本体１１は、上端開口部１１ｂを開閉し得る蓋部材１７と、この蓋部材１７を操作するためのレバー部材１８とをさらに具えている。蓋部材１７は、これを開くように付勢するばね部材１９ａが組み込まれた蝶番機構１９を介してカバー本体１１の上壁部１２に取り付けられている。カバー本体１１に揺動可能に取り付けられるレバー部材１８には、蓋部材１７に形成された係止部１７ａに対して係止し得る受け部１８ａが形成されている。上端開口部１１ｂが閉止されるようにばね部材１９ａのばね力に抗して蓋部材１７を押して蓋部材１７の係止部１７ａをレバー部材１８の受け部１８ａに係止させることにより、蓋部材１７を閉止状態に保つことができる。逆に、この状態からレバー部材１８を押すと、レバー部材１８の受け部１８ａから蓋部材１７の係止部１７ａの係合状態が解除され、ばね部材１９ａのばね力によって蓋部材１７が上端開口部１１ｂを開放状態にするようになっている。なお、蓋部材１７の構造や形状ならびにその開閉機構などに関しては本実施形態に限定されることなく、周知の構造や形状および開閉機構などを必要に応じて任意に採用することが可能である。
【００３４】
本実施形態においては、包装体１の上面１ａに形成された開口部１ｂが粘着層３ａを介して開閉用シート３で塞がれた状態となっている。また、包装体用カバー１０に収容される包装体１の上面１ａは、開閉用シート３を囲む環状の粘着部４によってカバー本体１１の上壁部１２の内側面の接合領域１２ａに密着状態で接合された状態となる。このため、上述した蓋部材１７にて上端開口部１１ｂを塞ぐことにより、包装体１に内包されたウェットティシュ２の乾燥をより確実に防止することができる。
【００３５】
保持手段１３は、包装体１に内包された衛生用紙の消費に伴ってカバー本体１１に対する包装体１の底面１ｃの位置を上端開口部１１ｂ側に近付けてそこに維持し得るものである。本実施形態における保持手段１３は、包装体用カバー１０に収容された包装体１の側面１ｄと対向するカバー本体１１の第１側壁部１４の内側面からそれぞれ上向きに傾斜して上下方向に所定間隔で相互に平行に配列する多数のブレード１６ｂを含む。これらブレード１６ｂは、先のキャップ１６ａと共にカバー本体１１の第１側壁部１４の内側面に貼り付けられたベースシート１６ｃと一体的にゴム状弾性体にて形成されている。包装体１を包装体用カバー１０に収容させる場合、ブレード１６ｂの先端部が包装体１の側面１ｄに弾性変形を伴って押し当たり、第１側壁部１４の間に包装体１を保持することができるようになっている。また、ウェットティシュ２の消費に伴い、包装体１の底面１ｃを指などで押し上げることにより、包装体１の底面１ｃを通過したブレード１６ｂの先端部が包装体１の底面１ｃに押し当たり、包装体１をその底面１ｃから弾性を伴って支持できるようになっている。このようなブレード１６ｂの特性を満たすべく、その肉厚や長さおよびその弾力性ならびに第１側壁部１４に対する傾斜角などが適切に設定されている。
【００３６】
従って、本実施形態の包装体用カバー１０によると、ブレード１６ｂによって包装体１を保持することが可能であり、従来のような底蓋を省略することができる。また、ウェットティシュ２の消費に伴い、包装体１の底面１ｃを押し上げるだけで包装体１に内包された最上端に位置するウェットティシュ２と上端開口部１１ｂとの間隔を常に望ましい間隔に維持することができる。この結果、包装体１に内包されたウェットティシュ２の残量が少なくなっても、その取り出し易さを良好に保つことが可能である。
【００３７】
なお、本実施形態においては包装体１の底面１ｃを受けるための支持板２６を用い、この支持板２６を介して包装体１を包装体用カバー１０に収容している。支持板２６は、下端開口部１１ａよりも小さな矩形の輪郭形状を有し、比較的硬質の樹脂製薄板にて形成されている。この支持板２６の外縁部には、指で支持板２６を掴むための指掛け部２６ａが形成されている。この支持板２６は必須ではないが、包装体１をカバー本体１１の上壁部１２と支持板２６とで挟持した状態に保持することができるため、ウェットティシュ２の残量が僅少となっても、包装体１のより安定した収容が可能となる。
【００３８】
上述したブレード１６ｂに代え、カバー本体１１の内側面から突出して包装体１の底面１ｃを受けることができる支持部材を保持手段１３として採用することも可能である。このような本発明の他の実施形態の外観を包装体と共に図５に示し、この包装体用カバーの底面を図６に示し、そのVII−VII矢視に沿った断面形状を図７に示すが、先の実施形態と同一機能の要素にはこれと同一符号を記すに止め、重複する説明を省略する。
【００３９】
本実施形態における保持手段１３は、包装体用カバー１０に収容された包装体１の側面１ｄと対向するようにカバー本体１１の第１側壁部１４の内側面から突出し、包装体１の底面１ｃをそれぞれ受けることができる複数の支持部材２０を含む。本実施形態における支持部材２０は、第１側壁部１４の内側面に一体的に形成された嵌合部１４ａに対して基端部が装着された舌状をなし、これらは上下方向に一定間隔で配列している。支持部材２０の基端部は、嵌合部１４ａに対して締まり嵌め状態で圧入状態となっているが、嵌合部１４ａに対して機械的な噛み合いによる抜け外れ防止構造を介して支持部材２０の基端部を取り付けることも可能である。これら支持部材２０は、ゴム状弾性体にて形成されているが、先の実施形態ほど大きな弾性変形を必要としないので、比較的硬質の樹脂などで形成することも可能である。何れの場合であっても、包装体１の底面１ｃを受ける支持部材２０よりも上方に位置する支持部材２０は、包装体１の側面１ｄに対して干渉することになるが、包装体１自体が本質的に可撓性を有しているため、特に問題は生じない。包装体１に内包されたウェットティシュ２の消費に伴い、包装体１の底面１ｃを指などでカバー本体１１の上壁部１２側に押し上げることによって、包装体１の底面１ｃを適当な高さにある支持部材２０に支持させることができる。
【００４０】
本発明においては底蓋が不要であることから、包装体１の詰め替えを容易かつ迅速に行うことができる。また、包装体１の状態、例えばウェットティシュ２の残量を下端開口部１１ａ側から簡単に認識することができる。より具体的には、包装体１に内包されたウェットティシュ２の消費に伴って包装体１の底面１ｃを指で押し上げ、上端開口部１１ｂ側に近付けることにより、その残量を容易に推測することができる。しかも、包装体１に内包されたウェットティシュ２の量が少なくなっても、これを常に取り出し易く維持することができる。しかも、下端開口部１１ａから上方に延在する切欠き部１４ｂ，１５ｂをカバー本体１１の第１および第２側壁部１４，１５に形成し、包装体用カバー１０の外観にデザイン的なアクセントを持たせることができる。なお、嵌合部１４ａに対して支持部材２０を取り外し可能な構成とし、包装体１の底面１ｃを受ける支持部材２０のみ、嵌合部１４ａに取り付けるようにすることも可能である。
【００４１】
上述した支持部材２０をカバー本体１１と一体に成形することも可能であり、このような保持手段１３の他の実施形態の断面構造を図８に示す。本実施形態においては、セルフヒンジ部２０ａを介して支持部材２０の基端部の上端縁をカバー本体１１の第１側壁部１４と一体に形成し、このセルフヒンジ部２０ａを中心として支持部材２０の先端側を上方にはね上げることができるようにしている。これにより、包装体１の側面１ｄに対する支持部材２０の干渉を回避させることが可能であり、上述した実施形態よりも部品点数を削減することが可能となる。なお、包装体１の底面１ｃを受ける状態においては、支持部材２０の基端部の厚みを利用して支持部材２０の先端側がほぼ水平状態よりも下方には回転できないようになっている。
【００４２】
次に、必要に応じて保持手段１３を機能させることができるようにした本発明の別な実施形態における包装体用カバーの底面形状を図９に示し、そのＸ−Ｘ矢視に沿った断面形状を図１０に示し、その外観を図１１に示す。なお、先の実施形態と同一機能の要素にはこれと同一符号を記すに止め、重複する説明を省略する。
【００４３】
本実施形態における保持手段１３は、カバー本体１１の第１側壁部１４の内側面から突出すると共に上下方向に一定間隔で配列するピン２１と、これらピン２１に対して抜き外し可能に係止し得る係止孔２２ａを有するゴム状弾性シート２２とを含む。ピン２１は、包装体用カバー１０に収容された包装体１の側面１ｄと対向するように、カバー本体１１と一体的に形成されている。ピン２１の先端には、係止孔２２ａの内径よりも大きな外径を持つ頭部２１ａが形成されている。本実施形態では、上下に隣接する少なくとも２本（図示例では３本）のピン２１に対して係止し得る少なくとも２つ（図示例では３つ）の係止孔２２ａをゴム状弾性シート２２に形成している。このゴム状弾性シート２２の上端側は、上側に位置する係止孔２２ａからピン２１を抜き外すことにより、弾性変形を伴って包装体１の底面１ｃを受けることができるようになっている。つまり、包装体用カバー１０に収容される包装体１の底面１ｃの位置に応じて、上下方向に配列するピン２１に対してゴム状弾性シート２２の取り付け位置を変更し、ゴム状弾性シート２２の上部を内側に撓ませて包装体１の底面１ｃに押し当たるようにすればよい。これにより、包装体１に内包されたウェットティシュ２の消費に伴って包装体１の底面１ｃの位置がカバー本体１１の上壁部１２側に近づくように、包装体１を上方に押し上げた状態で支持することができる。
【００４４】
上述した係止孔２２ａを連続した長孔として形成し、ピン２１に対してゴム状弾性シート２２を上下方向に所定量だけ摺動させることも可能である。このような本発明のさらに他の実施形態の断面形状を図１２に示し、その外観を図１３に示すが、先の実施形態と同一機能の要素にはこれと同一符号を記すに止め、重複する説明を省略する。
【００４５】
本実施形態におけるゴム状弾性シート２２には、上下に隣接するピン２１の配列間隔のほぼ２倍の長さを持った長孔２２ｂが形成されており、この長孔２２ｂの幅寸法はピン２１の直径とほぼ同じか、あるいはそれよりも若干狭く設定されている。長孔２２ｂには上下に隣接する２つのピン２１が挿通可能であり、この状態にてピン２１の配列間隔に相当する量だけゴム状弾性シート２２がピン２１に対して上下に摺動可能である。本実施形態においても、ゴム状弾性シート２２の長孔２２ｂの上側に位置するピン２１を長孔２２ｂから抜き外し、このゴム状弾性シート２２の上部を内側に弾性変形を伴って屈曲させ、包装体１の底面１ｃに押し当たるようにする。これにより、包装体１を上方に押し上げた状態で支持することができる。この場合、長孔２２ｂの位置とこれに係合するピン２１との相対位置を変更することにより、包装体１の底面１ｃに対するゴム状弾性シート２２の支持面積や撓み変形量を変えることが可能となる。
【００４６】
なお、ピン２１に対してゴム状弾性シート２２を摺動させる際に、所定長毎にクリック感を持たせるため、図１４に示すように、長孔２２ｂの長手方向に沿って所定間隔毎に拡径部２２ｃを形成することも有効である。この場合、ピン２１の外径ｄに対する拡径部２２ｃの幅寸法ｗ1と、拡径部２２ｃ以外の長孔２２ｂの幅寸法ｗ2との関係を以下のように設定することが好ましい。
ｄ≧ｗ1＞ｗ2
【００４７】
最後に、カバー本体１１の下端開口部１１ａを横切るように配される可撓性を持った吊り部材を保持手段１３が含む本発明のさらに別な実施形態を説明する。この実施形態の外観を包装体と共に図１５に示し、この包装体用カバー断面形状を図１６に示し、その固定手段の部分の構造を抽出拡大して図１７に示すが、先の実施形態と同一機能の要素にはこれと同一符号を記すに止め、重複する説明を省略する。
【００４８】
本実施形態における保持手段１３は、包装体用カバー１０に収容された包装体１の底面１ｃを受ける吊り部材２３と、先の切欠き部１４ｂと、吊り部材２３の長手方向両端部をカバー本体１１に固定するための固定手段２４とを含む。可撓性を有する吊り部材２３は細長い帯状をなし、カバー本体１１の下端開口部１１ａを横切るように配される。一対の切欠き部１４ｂは、カバー本体１１の第１側壁部１４に形成されて吊り部材２３が通るように下端開口部１１ａから上方に延在する。切欠き部１４ｂからカバー本体１１の外側に突出する吊り部材２３をカバー本体１１に固定するための固定手段２４は、吊り部材２３が挿通される間隙２５ａを形成した枠部２５と、吊り部材２３の幅方向両側端に形成された鋸歯状の係止部２３ａとを有する。カバー本体１１と一体的に形成される枠部２５は、切欠き部１４ｂよりも上方で第１側壁部１４の外側面に突設状態となっている。枠部２５に係止する鋸歯状の係止部２３ａは弾性変形可能であり、カバー本体１１に対して吊り部材２３を任意の位置で固定および固定解除し得るようになっている。本実施形態における係止部２３ａは、枠部２５に対して弾性変形を伴って係止し、図１５において吊り部材２３から下向きに抜け外れないようになっている。つまり、枠部２５から上方に吊り部材２３の端部を引き上げることにより、包装体１はカバー本体１１の上壁部１２と吊り部材２３とで挟まれた状態となって包装体用カバー１０に収容された状態となる。
【００４９】
従って、包装体１に内包されたウェットティシュ２の消費に伴って包装体１の底面１ｃの位置がカバー本体１１の上壁部１２側に近づくように、枠部２５に対して吊り部材２３を引き上げることにより、包装体１を支持することが可能となる。
【００５０】
なお、枠部２５に対して吊り部材２３に強い力を下向きに加えた場合には、係止部２３ａが弾性変形して枠部２５から吊り部材２３を抜き外すことができるように、間隙２５ａおよび係止部２３ａの寸法形状などが適切に設定されている。また、本体１１に対して吊り部材２３を任意の位置で固定および固定解除し得るものであれば、上述した固定手段２４以外に任意の構成の固定手段２４を採用することが可能である。例えば、図１８に示すように、吊り部材２３をゴム状弾性ベルトにて形成し、この吊り部材２３を枠部２５の間隙２５ａに対して圧縮状態で挿通させることにより、摩擦力を利用して吊り部材２３を枠部２５に固定することも可能である。
【００５１】
本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００５２】
１  包装体
１ａ  上面
１ｂ  開口部
１ｃ  底面
１ｄ  側面
２  ウェットティシュ
３  開閉用シート
３ａ  粘着層
４  粘着部
Ｓ  空間
ｄ  ピンの外径
ｗ1  拡径部の幅寸法
ｗ2  長孔の幅寸法
１０  包装体用カバー
１１  カバー本体
１１ａ  下端開口部
１１ｂ  上端開口部
１２  上壁部
１２ａ  接合領域
１３  保持手段
１４  第１側壁部
１４ａ  嵌合部
１４ｂ  切欠き部
１５  第２側壁部
１５ｂ  切欠き部
１６ａ  キャップ
１６ｂ  ブレード
１６ｃ  ベースシート
１７  蓋部材
１７ａ  係止部
１８  レバー部材
１８ａ  受け部
１９  蝶番機構
１９ａ  ばね部材
２０  支持部材
２０ａ  セルフヒンジ部
２１  ピン
２１ａ  頭部
２２  ゴム状弾性シート
２２ａ  係止孔
２２ｂ  長孔
２２ｃ  拡径部
２３  吊り部材
２３ａ  係止部
２４  固定手段
２５  枠部
２５ａ  間隙
２６  支持板
２６ａ  指掛け部
【図１】
0005782771.tif 000002
【図２】
0005782771.tif 000003
【図３】
0005782771.tif 000004
【図４】
0005782771.tif 000005
【図５】
0005782771.tif 000006
【図６】
0005782771.tif 000007
【図７】
0005782771.tif 000008
【図８】
0005782771.tif 000009
【図９】
0005782771.tif 000010
【図１０】
0005782771.tif 000011
【図１１】
0005782771.tif 000012
【図１２】
0005782771.tif 000013
【図１３】
0005782771.tif 000014
【図１４】
0005782771.tif 000015
【図１５】
0005782771.tif 000016
【図１６】
0005782771.tif 000017
【図１７】
0005782771.tif 000018
【図１８】
0005782771.tif 000019